(57)【要約】      （修正有）【課題】飼育過程で排出される鶏糞や尿が架台に付着しないようにして取り出すことができるようにし、飼育室の清潔の向上を図るとともに、作業性の向上を図った養鶏用コンテナケージ，養鶏システム及び養鶏方法を提供する。【解決手段】鶏を収容して飼育可能且つ鶏を収容したまま搬送可能な養鶏用コンテナケージＣであって、鶏の飼育時に飼育室に多数搬入されて架台に載置され、鶏の飼育終了後に架台から離脱させられて飼育室から搬出され、底壁２及び側壁３を有して箱状に形成されて鶏を収容するとともに少なくとも底壁２が鶏糞を通過可能な網状体で形成されたケージ本体１と、架台に載置されるとともにケージ本体１を着脱可能に支持しケージ本体１の底壁２から落下する鶏糞を受ける箱状の基台１０とを備えて構成した。【選択図】図２
2020103103.tif 000002
【特許請求の範囲】
【請求項１】
鶏を収容して飼育可能且つ鶏を収容したまま搬送可能な養鶏用コンテナケージであって、鶏の飼育時に飼育室に多数搬入されて該飼育室に設けた架台に載置され、鶏の飼育終了後に上記架台から離脱させられて上記飼育室から搬出される養鶏用コンテナケージにおいて、
底壁及び側壁を有して箱状に形成されて鶏を収容するとともに少なくとも底壁が鶏糞を通過可能な網状体で形成されたケージ本体と、上記架台に載置されるとともに上記ケージ本体を着脱可能に支持し該ケージ本体の底壁から落下する鶏糞を受ける箱状の基台とを備えて構成したことを特徴とする養鶏用コンテナケージ。
【請求項２】
上記基台を、床板と、該床板を支持する枠状の基台本体とを備えて構成し、上記床板を焼却可能な有機材料で形成するとともに上記基台本体に対して取付け取外し可能にしたことを特徴とする請求項１記載の養鶏用コンテナケージ。
【請求項３】
上記床板を、木製で矩形の板単体を列設して構成し、上記基台本体の内壁に上記板単体を支承する支承体を突設したことを特徴とする請求項２記載の養鶏用コンテナケージ。
【請求項４】
上記基台に着脱可能に支持されるとともに上記ケージ本体の下側に設けられ該ケージ本体の底壁から冷却空気を噴射する多数の噴射口を有した冷却空気供給部を設けたことを特徴とする請求項１乃至３何れかに記載の養鶏用コンテナケージ。
【請求項５】
上記冷却空気供給部を、上記基台の左右に設けられる一対の空気ダクトと、該空気ダクトに所定間隔で複数架設され軸方向に沿って複数の噴射口を上向きに列設してなる空気供給管とを備えて構成し、上記ケージ本体の底壁に、各空気供給管の噴射口に対峙し該各空気供給管の軸線に平行な細長状の覆い板を付設したことを特徴とする請求項４記載の養鶏用コンテナケージ。
【請求項６】
上記ケージ本体の側壁で形成された上側の開口を開閉可能にする蓋を設け、該蓋を、その開時に上記側壁に付帯するように折り畳み可能に該側壁に設けたことを特徴とする請求項１乃至５何れかに記載の養鶏用コンテナケージ。
【請求項７】
上記ケージ本体に、走行用の複数の車輪を設けたことを特徴とする請求項１乃至６何れかに記載の養鶏用コンテナケージ。
【請求項８】
上記基台に、該基台を設置した際に該基台の床板と設置面との間に所定幅の床下空間を形成する脚部を設けたことを特徴とする請求項１乃至７何れかに記載の養鶏用コンテナケージ。
【請求項９】
上記基台に走行用の複数の車輪を設けたことを特徴とする請求項１乃至８何れかに記載の養鶏用コンテナケージ。
【請求項１０】
上記請求項１乃至９何れかに記載の養鶏用コンテナケージを架台に載置して鶏の飼育を行う養鶏システムにおいて、
上記架台を、上記コンテナケージを複数台一列に列設して載置するとともに上下に所定間隔で複数設けられる載置板と、複数の載置板を支持する支持体とを備えて構成し、上記載置板の長手方向一端側に上記コンテナケージを上記載置板に対して出し入れを行うための出入口開口を設け、該出入口開口から上記コンテナケージの出し入れを行う搬送手段を備えたことを特徴とする養鶏システム。
【請求項１１】
上記搬送手段を、上記コンテナケージを搭載する荷台を備え、該荷台を上記出入口開口の何れかであって該当する出入口開口から上記コンテナケージを出し入れ可能にする位置に移動位置決めする第１移動手段と、該第１移動手段によって移動位置決めされた荷台に対して上記コンテナケージの出し入れを行う第２移動手段とを備えて構成したことを特徴とする請求項１０記載の養鶏システム。
【請求項１２】
上記第１移動手段を、上記支持体の出入口開口側に設けられるとともに、上記荷台を備え該荷台を昇降動させる昇降装置で構成したことを特徴とする請求項１１記載の養鶏システム。
【請求項１３】
上記コンテナケージを、その基台に、該基台を設置した際に該基台の床板と設置面との間に所定幅の床下空間を形成する脚部を設けて構成し、
上記第２移動手段を、上記コンテナケージの基台の床下空間に位置可能に形成されるとともに上記荷台及び載置板間を走行可能なＡＧＶと、該ＡＧＶに設けられ上昇して上記コンテナケージを支承し下降して上記コンテナケージの脚部を設置させる昇降機構とを備えて構成したことを特徴とする請求項１１または１２記載の養鶏システム。
【請求項１４】
上記載置板の上側に、上記設置された各コンテナケージのケージ本体の開口から内部に対して進出及び後退可能に設けられ、進出した際、鶏に給餌及び給水を行う給餌・給水機構を備えたことを特徴とする請求項１１乃至１３何れかに記載の養鶏システム。
【請求項１５】
上記載置板の上側に、上記コンテナケージに向けて冷却空気を噴射する冷却空気噴射部を設け、
上記コンテナケージにおいて、上記基台に着脱可能に支持されるとともに上記ケージ本体の下側に設けられ該ケージ本体の底壁から冷却空気を噴射する多数の噴射口を有した冷却空気供給部を設け、
上記冷却空気噴射部及び上記冷却空気供給部に冷却空気を送給することを特徴とする請求項１０乃至１４何れかに記載の養鶏システム。
【請求項１６】
上記請求項１乃至９何れかに記載の養鶏用コンテナケージであり、上記基台を、床板と、該床板を支持する枠状の基台本体とを備えて構成し、上記床板を、燃焼可能な有機材料で形成するとともに上記基台本体に対して着脱可能にして構成した養鶏用コンテナケージを用いて鶏の飼育を行う養鶏方法であって、
鶏の飼育時に、上記基台を、その基台本体に新たな床板を装着し、次に、該基台本体にケージ本体を装着して、コンテナケージを組立て、組立てたコンテナケージを飼育室に多数搬入して該飼育室に設けた架台に載置し、該コンテナケージの架台への載置前若しくは後に、鶏の雛をケージ本体に入れ、この状態で、鶏を飼育し、
鶏の飼育終了後に、上記コンテナケージを飼育室から搬出し、その後、上記基台からケージ本体を取外し、該ケージ本体を鶏を収容したまま所要の箇所に搬送し、該ケージ本体から鶏を取出し、空になったケージ本体は洗浄し、
一方、上記基台においては、上記床板を受けた鶏糞とともに上記基台本体から取外すとともに、該床板を受けた鶏糞とともに焼却し、
次の鶏の飼育時に、上記基台を、その基台本体に新たな床板を装着し、次に、該基台本体にケージ本体を装着して、コンテナケージを組立て、上記と同様に、再び、コンテナケージを飼育室に搬入しての鶏の飼育、及び、鶏の飼育終了後にコンテナケージを搬出しての上記の所定の処理を繰り返し行うことを特徴とする養鶏方法。
【請求項１７】
上記請求項１０乃至１５何れかに記載の養鶏システムを用いて鶏の飼育を行うことを特徴とする請求項１６記載の養鶏方法。
【発明の詳細な説明】
【技術分野】
【０００１】
本発明は、鶏を収容して飼育可能且つ鶏を収容したまま搬送可能な養鶏用コンテナケージ，これを用いた養鶏システム及び養鶏方法に関する。
【背景技術】
【０００２】
従来、この種の養鶏システムとしては、例えば、特開昭５３−７５０８４号公報（特許文献１）に掲載されているようなものが知られている。図８に示すように、この養鶏システムＳａは、鶏を収容して飼育可能且つ鶏を収容したまま搬送可能な養鶏用コンテナケージＣａを用いる。このコンテナケージＣａは、底壁１００及び側壁１０１を有して箱状に形成されており、底壁１００が鶏糞を通過可能なスリット（図示せず）を設けて形成され、側壁１０１には鶏の頸が出ることが可能な窓１０２が設けられている。
【０００３】
また、養鶏システムＳａは、鶏の飼育室に設けられ鶏の飼育時にコンテナケージＣａを多数載置する架台１０３を備えている。架台１０３は、コンテナケージＣａを複数台一列に列設して載置する為の一対のガイド桟１０４を備えており、この一対のガイド桟１０４は上下に所定間隔で複数段配置されて支持体１０５に支持されている。ガイド桟１０４にはコンテナケージＣａを載置して移送する無端の移送帯１０６が設けられている。支持体１０３のガイド桟１０４の下方には、コンテナケージＣａの底壁１００から落下した鶏糞や尿を受ける糞受皿１０７が設けられている。また、支持体１０３のコンテナケージＣａの側方に位置する部位には、コンテナケージＣａの窓１０２から鶏が頸を出して餌や水を得ることができる給餌樋１０８及び給水樋１０９が設けられている。
【０００４】
この養鶏システムＳａを用いて養鶏を行うときは、鶏の飼育時に、コンテナケージＣａを飼育室に多数搬入し、これに鶏の雛を入れ、架台１０３のガイド桟１０４の移送ベルト１０６で移送して、ガイド桟１０４上に列をなして載置する。この状態で、鶏を飼育する。飼育過程で排出される鶏糞や尿は、支持体１０３に設けた糞受皿１０７に受けられる。鶏の飼育が終了したならば、コンテナケージＣａを飼育室から搬出する。コンテナケージＣａによって、鶏を収容して飼育し、鶏を収容したまま搬送できるので、飼育室内で成長した鶏を直接に出し入れしなくても良いことから、作業性が極めて良く、迅速に出荷を行うことができる。糞受皿１０７に受けられた鶏糞や尿は、飼育途中あるいは、コンテナケージＣａを搬出した後の適時に取出す。また、コンテナケージを搬出したならば、架台１０３の清掃を行い、次に備える。
【先行技術文献】
【特許文献】
【０００５】
【特許文献１】特開昭５３−７５０８４号公報
【発明の概要】
【発明が解決しようとする課題】
【０００６】
ところで、上記従来の養鶏システムＳａにおいては、飼育過程で排出される鶏糞や尿は、支持体１０３に設けた糞受皿１０７に受けられ、飼育途中あるいは、コンテナケージＣａを搬出した後の適時に行うが、その際には、架台１０３が汚れやすくなるので、衛生上好ましくなく、また、コンテナケージＣａを搬出したならば、架台１０３を掃除するが、架台１０３に付着した鶏糞や尿は取りにくく、特に、架台１０３の構造が複雑なので掃除しにくく、作業性を損ねているという問題があった。この結果、鶏の飼育の回転率も損ねる要因となっている。
【０００７】
本発明は、このような問題点に鑑みてなされたもので、飼育過程で排出される鶏糞や尿が架台に付着しないようにして取り出すことができるようにし、飼育室の清潔の向上を図るとともに、作業性の向上を図った養鶏用コンテナケージ，養鶏システム及び養鶏方法を提供することを目的とする。
【課題を解決するための手段】
【０００８】
このような目的を達成するため、本発明の養鶏用コンテナケージは、鶏を収容して飼育可能且つ鶏を収容したまま搬送可能な養鶏用コンテナケージであって、鶏の飼育時に飼育室に多数搬入されて該飼育室に設けた架台に載置され、鶏の飼育終了後に上記架台から離脱させられて上記飼育室から搬出される養鶏用コンテナケージにおいて、
底壁及び側壁を有して箱状に形成されて鶏を収容するとともに少なくとも底壁が鶏糞を通過可能な網状体で形成されたケージ本体と、上記架台に載置されるとともに上記ケージ本体を着脱可能に支持し該ケージ本体の底壁から落下する鶏糞を受ける箱状の基台とを備えて構成している。
尚、ケージ本体は、金属製あるいは樹脂製、あるいはまた、これらの混合で作成することができる。また、ケージ本体の底壁を構成する網状体において、鶏糞の通過する通過孔の形状は、例えば六角形等どのような形状でも良く、また、従来のスリットで形成されても良く、適宜に定めて良い。
【０００９】
この養鶏用コンテナケージを用いて養鶏を行うときは、例えば、鶏の飼育時に、基台にケージ本体を装着して、コンテナケージを組立て、この組立てたコンテナケージを飼育室に多数搬入して飼育室に設けた架台に載置し、コンテナケージの架台への載置前若しくは後に、鶏の雛をケージ本体に入れ、この状態で、鶏を飼育する。この鶏の飼育過程においては、鶏から排出される鶏糞や尿は、ケージ本体の網状体で構成された底壁を通過し、基台に受けられる。そのため、鶏糞や尿は、架台に付着しにくくなり、架台の清潔が保持される。
【００１０】
鶏の飼育が終了したならば、コンテナケージを飼育室から搬出し、その後、基台からケージ本体を取外し、ケージ本体を鶏を収容したまま所要の箇所に搬送し、ケージ本体から鶏を取出して所定の処理をする。空になったケージ本体は洗浄しておく。一方、基台においては、受けられた鶏糞を取り除き、洗浄しておく。そして、次の鶏の飼育時には、再び、基台にケージ本体を装着して、コンテナケージを組立て、上記と同様に、再び、コンテナケージを飼育室に搬入しての鶏の飼育、及び、鶏の飼育終了後にコンテナケージを搬出しての上記の所定の処理を繰り返し行う。
【００１１】
この場合、コンテナケージによって、鶏を収容して飼育し、鶏を収容したまま搬送できるので、飼育室内で成長した鶏を直接に出し入れしなくても良いことから、作業性が極めて良く、迅速に出荷の準備ができる。また、鶏糞や尿は、コンテナケージの基台に収容してコンテナケージごと架台から取り出して飼育室から外に出すことができるので、架台を汚すことがほとんどなく、衛生上極めて好ましいものになり、飼育室の清潔の向上を図ることができる。更に、架台を掃除する場合も、鶏糞や尿の付着がほとんどないので、掃除がやりやすくなり、作業性を大幅に向上させることができる。
【００１２】
そして、必要に応じ、上記基台を、床板と、該床板を支持する枠状の基台本体とを備えて構成し、上記床板を焼却可能な有機材料で形成するとともに上記基台本体に対して取付け取外し可能にした構成にしている。
【００１３】
これにより、この養鶏用コンテナケージを用いて養鶏を行うときは、例えば、鶏の飼育時に、基台の基台本体に新たな床板を装着し、次に、基台本体にケージ本体を装着して、コンテナケージを組立て、この組立てたコンテナケージを飼育室に多数搬入して飼育室に設けた架台に載置し、コンテナケージの架台への載置前若しくは後に、鶏の雛をケージ本体に入れ、この状態で、鶏を飼育する。この鶏の飼育過程においては、鶏から排出される鶏糞や尿は、ケージ本体の網状体で構成された底壁を通過し、基台の床板に受けられる。そのため、鶏糞や尿は、架台に付着しにくくなり、架台の清潔が保持される。
【００１４】
鶏の飼育が終了したならば、コンテナケージを飼育室から搬出し、その後、基台からケージ本体を取外し、ケージ本体を鶏を収容したまま所要の箇所に搬送し、ケージ本体から鶏を取出して所定の処理をする。空になったケージ本体は洗浄しておく。一方、基台においては、床板を受けた鶏糞とともに基台本体から取外すとともに、例えば、床板を受けた鶏糞とともに焼却する。この場合、床板を取外すだけで、鶏糞を除去できるので、洗浄する場合に比較して、作業性を大幅に向上させることができる。基台本体は洗浄しておく。また、床板を受けた鶏糞や尿とともに焼却することができるので、鶏糞や尿の処理を極めて簡単に行うことができ、この点でも、作業効率を大幅に向上させることができるとともに、衛生上も極めて良好になる。そして、上記と同様に、次の鶏の飼育時には、再び、基台を、その基台本体に新たな床板を装着し、次に、基台本体にケージ本体を装着して、コンテナケージを組立て、上記と同様に、再び、コンテナケージを飼育室に搬入しての鶏の飼育、及び、鶏の飼育終了後にコンテナケージを搬出しての上記の所定の処理を繰り返し行う。
【００１５】
また、必要に応じ、上記床板を、木製で矩形の板単体を列設して構成し、上記基台本体の内壁に上記板単体を支承する支承体を突設した構成としている。
これにより、コンテナケージを組立てるときは、先ず、基台本体の支承体に板単体を列設して支承する。この場合、板単体を支承体に支承するだけで床板を形成できるので、作業を極めて容易に行うことができ、組立作業性を向上させることができる。その後、上記と同様に、基台本体にケージ本体を装着して、コンテナケージを組立てる。
【００１６】
また、鶏の飼育過程においては、鶏から排出される鶏糞や尿は、ケージ本体の網状体で構成された底壁を通過し、基台の床板に受けられる。この場合、床板は木製なので、尿などの水分が吸収されやすくなり、そのため、鶏糞や尿が流れ出ることが防止されるので、床板を取外す際の取扱いが容易になり、作業を極めて容易に行うことができるようになる。
【００１７】
更に、必要に応じ、上記基台に着脱可能に支持されるとともに上記ケージ本体の下側に設けられ該ケージ本体の底壁から冷却空気を噴射する多数の噴射口を有した冷却空気供給部を設けた構成としている。
これにより、鶏の飼育過程において、室温が高くなるような場合等適時に冷却空気供給部から冷却空気を噴射する。この場合、一般に、鶏は胸で体温調整をするといわれ、冷却空気がケージ本体の下から鶏に当たるようになるので、それだけ、鶏が体温調整をし易くなり、飼育環境を向上させることができる。
【００１８】
この場合、上記冷却空気供給部を、上記基台の左右に設けられる一対の空気ダクトと、該空気ダクトに所定間隔で複数架設され軸方向に沿って複数の噴射孔を上向きに列設してなる空気供給管とを備えて構成し、上記ケージ本体の底壁に、各空気供給管の噴射口に対峙し該各空気供給管の軸線に平行な細長状の覆い板を付設したことが有効である。
これにより、噴射口が上向きになることから、鶏の胸に空気が当たり易くなり、そのため、より一層、鶏が体温調整をし易くなり、飼育環境を向上させることができる。また、ケージ本体の底壁に、各空気供給管の噴射口に対峙する覆い板を設けたので、ケージ本体から落下する鶏糞や尿が噴射口に付着して塞ぐ事態を防止することができる。
【００１９】
更にまた、必要に応じ、上記ケージ本体の側壁で形成された上側の開口を開閉可能にする蓋を設け、該蓋を、その開時に上記側壁に付帯するように折り畳み可能に該側壁に設けた構成としている。
これにより、鶏を飼育する際には、ケージ本体から蓋を外して折り畳んで側壁に付帯させる。この場合、蓋が側壁に付帯するので邪魔になることがない。そして、鶏の飼育が終了してコンテナケージを飼育室から搬出する際、ケージ本体に蓋を被せることができる。そのため、鶏がケージ本体から逃げ出す事態を防止することができる。この場合、蓋が側壁に付帯しているので速やかに蓋を被せることができ、作業性を向上させることができる。
【００２０】
また、必要に応じ、上記ケージ本体に、走行用の複数の車輪を設けた構成としている。ケージ本体を基台から外した際に、ケージ本体を車輪を走行させて移送できるので、移送を容易に行うことができる。
【００２１】
更に、必要に応じ、上記基台に、該基台を設置した際に該基台の床板と設置面との間に所定幅の床下空間を形成する脚部を設けた構成としている。この床下空間に、搬送用の例えばＡＧＶ等の搬送車を入れることができ、基台にケージ本体を設けたコンテナケージの搬送、あるいは、基台のみの搬送を容易に行うことができるようになる。
【００２２】
更にまた、必要に応じ、上記基台に走行用の複数の車輪を設けた構成としている。基台にケージ本体を設けたコンテナケージ、あるいは、基台のみを、車輪を走行させて移送できるので、移送を容易に行うことができる。
【００２３】
また、上記目的を達成するための本発明の養鶏システムは、上記の養鶏用コンテナケージを架台に載置して鶏の飼育を行う養鶏システムにおいて、
上記架台を、上記コンテナケージを複数台一列に列設して載置するとともに上下に所定間隔で複数設けられる載置板と、複数の載置板を支持する支持体とを備えて構成し、上記載置板の長手方向一端側に上記コンテナケージを上記載置板に対して出し入れを行うための出入口開口を設け、該出入口開口から上記コンテナケージの出し入れを自動で行う搬送手段を備えた構成としている。上記の作用，効果に加え、搬送手段により、架台に対して、コンテナケージの出し入れを自動で行うことができるので、作業性を大幅に向上させることができる。
【００２４】
そして、必要に応じ、上記搬送手段を、上記コンテナケージを搭載する荷台を備え、該荷台を上記出入口開口の何れかであって該当する出入口開口から上記コンテナケージを出し入れ可能にする位置に移動位置決めする第１移動手段と、該第１移動手段によって移動位置決めされた荷台に対して上記コンテナケージの出し入れを行う第２移動手段とを備えて構成している。移動手段を、第１移動手段と第２移動手段とに分けたので、システムを構築し易くすることができる。
【００２５】
この場合、上記第１移動手段を、上記支持体の出入口開口側に設けられるとともに、上記荷台を備え該荷台を昇降動させる昇降装置で構成したことが有効である。
【００２６】
また、この場合、上記コンテナケージを、その基台に、該基台を設置した際に該基台の床板と設置面との間に所定幅の床下空間を形成する脚部を設けて構成し、
上記第２移動手段を、上記コンテナケージの基台の床下空間に位置可能に形成されるとともに上記荷台及び載置板間を走行可能なＡＧＶと、該ＡＧＶに設けられ上昇して上記コンテナケージを支承し下降して上記コンテナケージの脚部を設置させる昇降機構とを備えて構成したことが有効である。ここで、ＡＧＶとは、コンピュータ制御等によって目標走行経路上を自動的に走行する無人搬送車である。これにより、確実に自動化を実現できる。
【００２７】
また、必要に応じ、上記載置板の上側に、上記設置された各コンテナケージのケージ本体の開口から内部に対して進出及び後退可能に設けられ、進出した際、鶏に給餌及び給水を行う給餌・給水機構を備えた構成としている。コンテナケージの上から給餌・給水機構を進出及び後退可能に設けたので、コンテナケージの載置板への載置時や離脱時には、給餌・給水機構を後退させれば、邪魔になることがなく、また、従来の側方に固定する場合に比較して、左右のスペースを確保することができ、架台を並設し易くすることができる。
【００２８】
また、必要に応じ、上記載置板の上側に、上記コンテナケージに向けて冷却空気を噴射する冷却空気噴射部を設け、
上記コンテナケージにおいて、上記基台に着脱可能に支持されるとともに上記ケージ本体の下側に設けられ該ケージ本体の底壁から冷却空気を噴射する多数の噴射口を有した冷却空気供給部を設け、
上記冷却空気噴射部及び上記冷却空気供給部に冷却空気を送給する構成としている。
冷却空気をケージ本体の上からと下からの両方から鶏に当てることができるので、それだけ、鶏が体温調整をし易くなり、飼育環境を向上させることができる。
【００２９】
そしてまた、上記目的を達成するための本発明の養鶏方法は、上記の養鶏用コンテナケージであり、上記基台を、床板と、該床板を支持する枠状の基台本体とを備えて構成し、上記床板を、燃焼可能な有機材料で形成するとともに上記基台本体に対して着脱可能にして構成した養鶏用コンテナケージを用いて鶏の飼育を行う養鶏方法であって、
鶏の飼育時に、上記基台を、その基台本体に新たな床板を装着し、次に、該基台本体にケージ本体を装着して、コンテナケージを組立て、組立てたコンテナケージを飼育室に多数搬入して該飼育室に設けた架台に載置し、該コンテナケージの架台への載置前若しくは後に、鶏の雛をケージ本体に入れ、この状態で、鶏を飼育し、
鶏の飼育終了後に、上記コンテナケージを飼育室から搬出し、その後、上記基台からケージ本体を取外し、該ケージ本体を鶏を収容したまま所要の箇所に搬送し、該ケージ本体から鶏を取出し、空になったケージ本体は洗浄し、
一方、上記基台においては、上記床板を受けた鶏糞とともに上記基台本体から取外すとともに、該床板を受けた鶏糞とともに焼却し、
次の鶏の飼育時に、上記基台を、その基台本体に新たな床板を装着し、次に、該基台本体にケージ本体を装着して、コンテナケージを組立て、上記と同様に、再び、コンテナケージを飼育室に搬入しての鶏の飼育、及び、鶏の飼育終了後にコンテナケージを搬出しての上記の所定の処理を繰り返し行う構成としている。上記と同様の作用，効果を奏する。
【００３０】
この場合、上記の養鶏システムを用いて鶏の飼育を行うことが有効である。上記と同様の作用，効果を奏する。
【発明の効果】
【００３１】
本発明によれば、コンテナケージによって、鶏を収容して飼育し、鶏を収容したまま搬送できるので、飼育室内で成長した鶏を直接に出し入れしなくても良いことから、作業性が極めて良く、迅速に出荷の準備ができる。また、鶏糞や尿は、コンテナケージの基台に収容してコンテナケージごと架台から取り出して飼育室から外に出すことができるので、架台を汚すことがほとんどなく、衛生上極めて好ましいものになり、飼育室の清潔の向上を図ることができる。更に、架台を掃除する場合も、鶏糞や尿の付着がほとんどないので、掃除がやりやすくなり、作業性を大幅に向上させることができる。この結果、鶏の飼育の回転率を大幅に向上させることができる。
【図面の簡単な説明】
【００３２】
【図１】本発明の実施の形態に係る養鶏システムを示し、（ａ）は正面図、（ｂ）は側面断面図である。
【図２】本発明の実施の形態に係る養鶏用コンテナケージを示す分解斜視図である。
【図３】本発明の実施の形態に係る養鶏用コンテナケージを示し、（ａ）は組立てた状態の正面図、（ｂ）は分解した状態を示す正面図である。
【図４】本発明の実施の形態に係る養鶏用コンテナケージにおいて、冷却空気供給部の空気供給管とケージ本体の底壁との関係を示す要部断面図である。
【図５】本発明の実施の形態に係る養鶏用コンテナケージの冷却空気供給部において、隣接するコンテナケージ間の接続状態を示す要部断面図である。
【図６】本発明の実施の形態に係る養鶏システムにおいて、搬送手段の第２移動手段としてのＡＧＶを示し、（ａ）はコンテナケージの床下空間に位置した状態を示す図、（ｂ）はコンテナケージを持ち上げた状態を示す図である。
【図７】本発明の実施の形態に係る養鶏方法を示す工程図である。
【図８】従来の養鶏システムの一例を示す要部斜視図である。
【発明を実施するための形態】
【００３３】
以下、添付図面に基づいて本発明の実施の形態に係る養鶏用コンテナケージ，養鶏システム及び養鶏方法について詳細に説明する。本発明の実施の形態に係る養鶏システムは、本発明の実施の形態に係る養鶏用コンテナケージを用いて実現される。また、本発明の実施の形態に係る養鶏方法は本発明の実施の形態に係る養鶏システムによって実現されるので、その作用の説明において説明する。
【００３４】
図１乃至図６に示すように、本発明の実施の形態に係る養鶏システムＳは、本発明の実施の形態に係る養鶏用コンテナケージＣを架台３０に載置して鶏の飼育を行う。
本発明の実施の形態に係る養鶏用コンテナケージＣは、鶏を収容して飼育可能且つ鶏を収容したまま搬送可能なもので、鶏の飼育時に飼育室（図示せず）に多数搬入されて飼育室に設けた架台３０に載置され、鶏の飼育終了後に架台３０から離脱させられて飼育室から搬出される。
【００３５】
この養鶏用コンテナケージＣは、鶏を収容するケージ本体１と、ケージ本体１を着脱可能に支持する基台１０とを備えて構成されている。
詳しくは、図２に示すように、ケージ本体１は、底壁２及び側壁３を有して矩形箱状に形成されて鶏を収容するとともに少なくとも底壁２が鶏糞を通過可能な網状体で形成されている。側壁３も網状体で構成することができる。ケージ本体１には、その側壁３で形成された上側の開口４を開閉可能にする蓋５が設けられている。蓋５は、その開時に側壁３に付帯するように折り畳み可能に側壁３に設けられている。蓋５も、網状体で構成することができる。ケージ本体１には走行用の複数の車輪６が設けられている。車輪６は、底壁２の４つのコーナ部に、夫々、設けられている。
【００３６】
基台１０は、架台３０に載置されるとともにケージ本体１を着脱可能に支持しケージ本体１の底壁２から落下する鶏糞を受ける矩形箱状に形成されている。基台１０は、平面から見てケージ本体１と略同じ大きさの矩形状に形成されている。基台１０は、床板１１と、床板１１を支持する枠状の基台本体１２とを備えて構成されている。床板１１は、焼却可能な有機材料で形成され、基台本体１２に対して取付け取外し可能になっている。具体的には、床板１１は、木製で矩形の板単体１３を列設して構成されている。基台本体１２には、その内壁下端縁に沿って、板単体１３を支承するフランジ状の支承体１４が突設されている。実施の形態では、床板１１には、おが屑１５が敷設される。
【００３７】
また、基台１０には、基台１０を設置した際に基台１０の床板１１と設置面との間に所定幅の床下空間１６を形成する脚部１７が設けられている。脚部１７は、基台本体１２下側の４つのコーナ部に、夫々、設けられている。更に、基台１０には、走行用の複数の車輪１８が設けられている。車輪１８は、脚部１７の下端に、夫々、設けられている。
【００３８】
更に、図２乃至図４に示すように、基台１０には、着脱可能に支持されるとともにケージ本体１の下側に設けられケージ本体１の底壁２から冷却空気を噴射する多数の噴射口２１を有した冷却空気供給部２０が設けられている。詳しくは、冷却空気供給部２０は、基台１０の左右に設けられる一対の空気ダクト２２と、空気ダクト２２に所定間隔で複数架設され軸方向に沿って複数の噴射口２１を上向きに列設してなる空気供給管２３とを備えて構成されている。一対の空気ダクト２２において、図５に示すように、一方の空気ダクト２２の外側には、空気が導入される雌型の導入コネクタ２４が設けられ、他方の空気ダクト２２には隣接するコンテナケージＣの導入コネクタ２４に差し込まれる雄型の導出コネクタ２５が設けられている。後述の架台３０の載置板３１に列設されたコンテナケージＣの列において、最端部のコンテナケージＣの空気ダクト２２の導入コネクタ２４には、空気供給源からの配管が接続される。更にまた、図２及び図４に示すように、ケージ本体１の底壁２には、各空気供給管２３の噴射口２１に対峙し各空気供給管２３の軸線に平行な細長状の覆い板２６が付設されている。そして、実施の形態では、冷却空気供給部２０の空気ダクト２２が基台１０の基台本体１２の上端に支持され、この空気ダクト２２にケージ本体１が支持される。空気ダクト２２と基台本体１２との間、及び、空気ダクト２２とケージ本体１との間は、位置決めピンなどで位置決めすることができる。
【００３９】
次に、本発明の実施の形態に係る養鶏システムＳについて説明する。図１に示すように、養殖システムＳは、養鶏用コンテナケージＣを載置する架台３０を備えているが、この架台３０は、コンテナケージＣを複数台一列に列設して載置するとともに上下に所定間隔で複数設けられる載置板３１と、複数の載置板３１を支持する支持体３２とを備えて構成されている。載置板３１の長手方向一端側には、コンテナケージＣを載置板３１に対して出し入れを行うための出入口開口３３が設けられている。また、本システムＳには、この出入口開口３３からコンテナケージＣの出し入れを行う搬送手段４０が備えられている。
【００４０】
搬送手段４０は、コンテナケージＣを搭載する荷台４１を備え、荷台４１を出入口開口３３の何れかであって該当する出入口開口３３からコンテナケージＣを出し入れ可能にする位置に移動位置決めする第１移動手段４２を備えている。第１移動手段４２は、支持体３２の出入口開口３３側に設けられるとともに、荷台４１を備え、この荷台４１を昇降動させる昇降装置４３で構成されている。昇降装置４３は、例えば、周知の荷台用エレベータで構成され、荷台４１を昇降動可能にガイドするガイドレール４４と、荷台４１に連携したワイヤを繰出し及び巻戻しして荷台４１を昇降動させる巻上機４５とを備えて構成されている。
【００４１】
また、搬送手段４０は、第１移動手段４２によって移動位置決めされた荷台４１に対してコンテナケージＣの出し入れを行う第２移動手段４６を備えている。第２移動手段４６は、図６及び図７に示すように、コンテナケージＣの基台１０の床下空間１６に位置可能に形成されるとともに、荷台４１及び載置板３１間を走行可能な矩形盤状のＡＧＶ４７と、ＡＧＶ４７に設けられ上昇してコンテナケージＣを支承し下降してコンテナケージＣの脚部１７を設置させる昇降機構４８とを備えて構成されている。昇降機構４８は、ＡＧＶ４７の上面から出没可能で進出時にコンテナケージＣの基台１０を持ち上げる一対の支持バー４９と、この支持バー４９を出没移動させる例えばカム機構を備えた駆動部（図示せず）とを備えて構成されている。ＡＧＶ４７とは、コンピュータ制御等によって目標走行経路上を自動的に走行する無人搬送車のことであり、実施の形態では、周知の所謂低床リフト型の無人搬送車を用いている。
【００４２】
また、本システムＳにおいては、図１に示すように、載置板３１の上側に、設置された各コンテナケージＣのケージ本体１の開口４から内部に対して進出及び後退可能に設けられ、進出した際、鶏に給餌及び給水を行う給餌・給水機構５０が備えられている。
また、実施の形態においては、載置板３１の上側において長手方向及び短手方向に走行して、死鶏を把持ハンドで取り上げて、コンテナケージＣの外に搬送する死鶏除去機構を設けることができる。
【００４３】
更に、本システムＳにおいて、図１に示すように、載置板３１の上側に、コンテナケージＣに向けて冷却空気を噴射する冷却空気噴射部５１が設けられている。この冷却空気噴射部５１には空気供給源から冷却空気が送給される。また、架台３０の載置板３１に列設されたコンテナケージＣの列において、最端部のコンテナケージＣの空気ダクト２２の導入コネクタ２４には、空気供給源からの配管が接続され、各コンテナケージＣの冷却空気供給部２０へも冷却空気が送給される。
【００４４】
実施の形態では、制御部（図示せず）が設けられている。制御部は、予め、ＡＩ技術等を用いてプログラミングされており、昇降装置４３及びＡＧＶ４７の駆動制御をするとともに、給餌・給水機構５０の駆動制御，給餌・給水機構５０への餌及び水の供給制御，冷却空気噴射部５１及び冷却空気供給部２０への空気供給制御等、種々の制御を行う。昇降装置４３及びＡＧＶ４７の駆動制御においては、昇降装置４３の荷台４１に載せられたコンテナケージＣを、例えば、上の段の載置板３１から下の段の載置板３１にその奥から順に自動的にコンテナケージＣを列設していく。
【００４５】
実施の形態では、例えば、コンテナケージＣのケージ本体１の大きさを、縦２０００ｍｍ，横２０００ｍｍ，高さ（車輪６を除く）５００ｍｍに設定し、基台１０の大きさを、縦２０００ｍｍ，横２０００ｍｍ，高さ（脚部１７及び車輪１８を除く）２００ｍｍに設定している。これにより、１つのコンテナケージＣ当たり、約６０羽の鶏を飼育することが可能になる。架台３０の載置板３１の長さは、このコンテナケージＣが例えば３５個列設される長さに設定し、支持体３２に、載置板３１を４段設ける。１つの飼育室には、例えば、架台３０を４列収納する。
【００４６】
従って、実施の形態に係る養鶏システムＳよれば、以下のように養鶏が行なわれる。図７に示す工程図も参照し、鶏の飼育時には、コンテナケージＣを組立てる（Ｓ１）。この際には、先ず、図２及び図３に示すように、基台１０の基台本体１２の支承体１４に板単体１３を列設して支承する。この場合、板単体１３を支承体１４に支承するだけで床板１１を形成できるので、作業を極めて容易に行うことができ、組立作業性を向上させることができる。実施の形態では、床板１１におが屑１５を敷設する。次に、基台本体１２に冷却空気供給部２０及びケージ本体１を装着して、コンテナケージＣを組立てる。ケージ本体１においては、ケージ本体１から蓋５を外して折り畳んで側壁３に付帯させ、蓋５は開けた状態にしておく。この場合、蓋５が側壁３に付帯するので邪魔になることがない。
【００４７】
この組立てたコンテナケージＣを飼育室に多数搬入して飼育室に設けた架台３０に載置する（Ｓ２）。この際には、給餌・給水機構５０を後退させておく。邪魔になることがない。そして、図１に示すように、例えば、作業員が、コンテナケージＣを昇降装置４３の荷台４１まで移送する。荷台４１にはＡＧＶ４７が搭載されており、図６（ａ）に示すように、基台１０の床下空間１６に、ＡＧＶ４７が入るようになる。この場合、基台１０に走行用の複数の車輪１８が設けられているので、移送を容易に行うことができる。昇降装置４３の荷台４１にコンテナケージＣを載せると、制御部により、荷台４１が昇降動させられて、目的の出入口開口３３にコンテナケージＣを位置させる。
【００４８】
次に、図６（ｂ）に示すように、制御部により、ＡＧＶ４７の昇降機構４８が上昇してコンテナケージＣを支承して持ち上げ、載置板３１を走行して、所定の位置で停止し、図６（ａ）に示すように、昇降機構４８が下降してコンテナケージＣを載置板３１上に載置する。その後、制御部により、ＡＧＶ４７は荷台４１まで戻り、荷台４１が最下位の受入位置に移動する。そして、作業員が、次の、コンテナケージＣを荷台４１に載置すると、上記と同様に、昇降装置４３及びＡＧＶ４７が作動し、例えば、上の段の載置板３１から下の段の載置板３１にその奥から順に自動的にコンテナケージＣを列設していく。この場合、図５に示すように、隣接するコンテナケージＣの空気ダクト２２同士においては、導入コネクタ２４と導出コネクタ２５との接続が行われる。架台３０の載置板３１に列設されたコンテナケージＣの列において、最端部のコンテナケージＣの空気ダクト２２の導入コネクタ２４には、空気供給源からの配管を人手により接続する。
【００４９】
コンテナケージＣの架台３０への載置前若しくは後に、鶏の雛をケージ本体１に入れ、この状態で、鶏を飼育する（Ｓ２）。この鶏の飼育過程においては、図１に示すように、給餌・給水機構５０が進出し、ケージ本体１内で、鶏が給餌・給水を受ける。鶏から排出される鶏糞や尿は、ケージ本体１の網状体で構成された底壁２を通過し、基台１０の床板１１に受けられる。そのため、鶏糞や尿は、架台３０に付着しにくくなり、架台３０の清潔が保持される。この場合、床板１１にはおが屑１５が敷設されるとともに、床板１１は木製なので、尿などの水分が吸収されやすくなり、そのため、鶏糞や尿が流れ出ることが防止される。
【００５０】
また、鶏の飼育過程においては、室温が高くなるような場合等適時に、載置板３１の上側に設けた冷却空気噴射部５１及びコンテナケージＣの冷却空気供給部２０から冷却空気を噴射する。冷却空気をケージ本体１の上からと下からの両方から鶏に当てることができるので、それだけ、鶏が体温調整をし易くなり、飼育環境を向上させることができる。特に、一般に、鶏は胸で体温調整をするといわれ、冷却空気供給部２０はケージ本体１の下にあり、冷却空気がケージ本体１の下から鶏に当たるようになるので、それだけ、鶏が体温調整をし易くなり、飼育環境を向上させることができる。また、各空気供給管２３の噴射口２１が上向きになることから、鶏の胸に空気が当たり易くなり、そのため、より一層、鶏が体温調整をし易くなり、飼育環境を向上させることができる。また、ケージ本体１の底壁２に、各空気供給管２３の噴射口２１に対峙する覆い板２６を設けたので、ケージ本体１から落下する鶏糞や尿が噴射口２１に付着して塞ぐ事態を防止することができる。
【００５１】
鶏の飼育が終了したならば、図７に示すように、コンテナケージＣを飼育室から搬出する（Ｓ３）。この際、先ず、給餌・給水機構５０を後退させ、それから、ケージ本体１に蓋５を人手で被せる。そのため、鶏がケージ本体１から逃げ出す事態を防止することができる。この場合、蓋５が側壁３に付帯しているので速やかに蓋５を被せることができ、作業性を向上させることができる。そして、制御部により、昇降装置４３及びＡＧＶ４７が作動し、例えば、上の段の載置板３１から下の段の載置板３１にその手前から順に、自動的にコンテナケージＣを取り出していく。その後、基台１０からケージ本体１を取外すとともに（Ｓ４）、冷却空気供給部２０を取外す（Ｓ５）。そして、ケージ本体１を鶏を収容したまま所要の箇所に搬送する。この場合、ケージ本体１に走行用の複数の車輪６が設けられており、ケージ本体１を車輪６を走行させて移送できるので、移送を容易に行うことができる。そして、トラックなどで処理施設に搬送し、ケージ本体１から鶏を取出して所定の処理をする（Ｓ６）。空になったケージ本体１（Ｓ７）は洗浄しておく（Ｓ８）。冷却空気供給部２０（Ｓ５）についても洗浄を行う（Ｓ８）。
【００５２】
一方、ケージ本体１及び冷却空気供給部２０が取外された基台１０においては（Ｓ９）、床板１１をおが屑１５及び受けた鶏糞や尿とともに基台本体１２から取外す（Ｓ１０）。この場合、おが屑１５があり、床板１１は木製なので、尿などの水分が吸収されやすくなり、そのため、鶏糞や尿が流れ出ることが防止されるので、床板１１を取外す際の取扱いが容易になり、作業を極めて容易に行うことができるようになる。床板１１を取外すだけで、鶏糞を除去できるので、洗浄する場合に比較して、作業性を大幅に向上させることができる。床板１１を取外した基台本体１２（Ｓ１１）は洗浄しておく（Ｓ８）。それから、例えば、床板１１は、おが屑１５及び受けた鶏糞や尿とともに焼却する（Ｓ１２）。この場合、床板１１を、おが屑１５及び受けた鶏糞や尿とともに焼却することができるので、鶏糞や尿の処理を極めて簡単に行うことができ、この点でも、作業効率を大幅に向上させることができるとともに、衛生上も極めて良好になる。
【００５３】
そして、上記と同様に、次の鶏の飼育時には、再び、基台１０を、その基台本体１２に新たな床板１１を装着し、次に、基台本体１２にケージ本体１を装着して、コンテナケージＣを組立て（Ｓ１）、上記と同様に、再び、コンテナケージＣを飼育室に搬入しての鶏の飼育を行い（Ｓ２）、鶏の飼育終了後にコンテナケージＣを搬出しての上記の所定の処理（Ｓ３〜Ｓ１２）を行う。これらを繰り返し行う。
【００５４】
このように、コンテナケージＣによって、鶏を収容して飼育し、鶏を収容したまま搬送できるので、飼育室内で成長した鶏を直接に出し入れしなくても良いことから、作業性が極めて良く、迅速に出荷の準備ができる。また、鶏糞や尿は、コンテナケージＣの基台１０に収容してコンテナケージＣごと架台３０から取り出して飼育室から外に出すことができるので、架台３０を汚すことがほとんどなく、衛生上極めて好ましいものになり、飼育室の清潔の向上を図ることができる。更に、コンテナケージＣを搬出した後には、架台３０を掃除するが、この場合も、架台３０には鶏糞や尿の付着がほとんどないので、掃除がやりやすくなり、作業性を大幅に向上させることができる。この結果、鶏の飼育の回転率を大幅に向上させることができるようになる。
【００５５】
尚、上記実施の形態において、床板１１にはおが屑１５を敷設したが、必ずしもこれに限定されるものではなく、なくても良い。また、上記実施の形態において、床板１１を木製の板単体１３で構成したが、必ずしもこれに限定されるものではなく、段ボールなどの紙でも良く、焼却可能な有機材料であればどのようなものであっても良い。搬送手段４０の構成は上述したものに限定されるものではなく、移動ロボットを用いて搬送するなど、適宜変更して差支えない。本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００５６】
Ｓ  養鶏システム
Ｃ  養鶏用コンテナケージ
１  ケージ本体
２  底壁
３  側壁
４  開口
５  蓋
６  車輪
１０  基台
１１  床板
１２  基台本体
１３  板単体
１４  支承体
１５  おが屑
１６  床下空間
１７  脚部
１８  車輪
２０  冷却空気供給部
２１  噴射口
２２  空気ダクト
２３  空気供給管
２４  導入コネクタ
２５  導出コネクタ
２６  覆い板
３０  架台
３１  載置板
３２  支持体
３３  出入口開口
４０  搬送手段
４１  荷台
４２  第１移動手段
４３  昇降装置
４６  第２移動手段
４７  ＡＧＶ
４８  昇降機構
５０  給餌・給水機構
５１  冷却空気噴射部
【図１】
2020103103.tif 000003
【図２】
2020103103.tif 000004
【図３】
2020103103.tif 000005
【図４】
2020103103.tif 000006
【図５】
2020103103.tif 000007
【図６】
2020103103.tif 000008
【図７】
2020103103.tif 000009
【図８】
2020103103.tif 000010